(57)【要約】      （修正有）【課題】機械的強度の低下を抑制しつつ、小型化、軽量化を図ると同時に、低コスト化を図ることができるカメラモジュールを提供する。【解決手段】カメラモジュールは、カメラモジュール本体およびこのカメラモジュール本体を覆うシールド１２、を備える。カメラモジュール本体は、レンズおよび固体撮像素子を備える。シールド１２は、上面部１２ａおよび複数枚の側面部１２ｂによって構成されており、上面部１２ａがカメラモジュール本体の上面に接するように備えられる。シールド１２の各側面部１２ｂには、上面部１２ａに対して垂直方向に延在する複数の補強部１２ｅが設けられている。【選択図】図３
2015109583.tif 000002
【特許請求の範囲】
【請求項１】
レンズおよび固体撮像素子を備え、側面に複数の溝を有するカメラモジュール本体と、
上面部および複数枚の側面部によって構成され、前記カメラモジュール本体を覆うシールドと、
を備え、
前記シールドの各前記側面部の内側面上には、前記上面部に対して垂直方向に延在する複数の補強部が設けられており、
前記シールドは、前記上面部が前記カメラモジュール本体の上面に接し、かつ前記複数の補強部が前記カメラモジュールの前記複数の溝内に配置されるように設けられたことを特徴とするカメラモジュール。
【請求項２】
レンズおよび固体撮像素子を備えるカメラモジュール本体と、
上面部および複数枚の側面部によって構成され、前記上面部が前記カメラモジュール本体の上面に接するように前記カメラモジュール本体を覆うシールドと、
を備え、
前記シールドの各前記側面部には、前記上面部に対して垂直方向に延在する複数の補強部が設けられたことを特徴とするカメラモジュール。
【請求項３】
前記複数の補強部はそれぞれ、前記シールドの側面部の内側面上に備えられており、
前記シールドは、前記上面部が前記カメラモジュール本体の上面に接し、かつ前記複数の補強部が前記カメラモジュールの側面に接するように設けられたことを特徴とする請求項２に記載のカメラモジュール。
【請求項４】
前記シールドは、複数枚の前記側面部が互いに接するものであり、
前記補強部は、前記複数枚の側面部が接することによって形成される角部の内側に、さらに備えられることを特徴とする請求項３に記載のカメラモジュール。
【請求項５】
前記カメラモジュール本体は、側面に複数の溝を有し、
前記シールドは、前記複数の補強部が前記複数の溝内に配置されるように設けられたことを特徴とする請求項３または４に記載のカメラモジュール。
【発明の詳細な説明】
【技術分野】
【０００１】
本発明の実施形態は、カメラモジュールに関する。
【背景技術】
【０００２】
例えば携帯電話、デジタルカメラ等に使用されるカメラモジュールは、固体撮像素子、レンズ等を含むカメラモジュール本体と、このカメラモジュール本体を囲うように備えられた金属製のシールドと、を有する。このシールドは、電磁シールドとしての役割を担う他、カメラモジュールの外観を良好にする、という役割も担う。
【０００３】
ところで、近年の携帯電話やデジタルカメラの小型化、軽量化に伴い、カメラモジュールの小型化、軽量化が望まれるようになってきた。また、特に汎用品として量産されるカメラモジュールにおいては、低コスト化も望まれる。これらを実現するための一手段として、シールドをより薄くすることが考えられる。
【０００４】
しかしながら、シールドを薄くすると、シールド自身の機械的強度が低下する。従って、カメラモジュール本体にシールドを装着する前段階において、シールドは変形もしくは破損しやすい。この結果、カメラモジュール本体にシールドを装着する工程において、シールドを装着することが困難となる、という問題がある。
【０００５】
さらに、シールド自身の機械的強度の低下に伴って、これを備えたカメラモジュールの機械的強度も低下する。この結果、例えば製造されたカメラモジュールの出荷、搬送工程において、カメラモジュールが故障する、という問題がある。
【先行技術文献】
【特許文献】
【０００６】
【特許文献１】特開２０１１−２０５２２１号公報
【発明の概要】
【発明が解決しようとする課題】
【０００７】
実施形態は、機械的強度の低下を抑制しつつ、小型化、軽量化を図ると同時に、低コスト化を図ることができるカメラモジュールを提供することを目的とする。
【課題を解決するための手段】
【０００８】
実施形態に係るカメラモジュールは、カメラモジュール本体およびこのカメラモジュール本体を覆うシールド、を備える。前記カメラモジュール本体は、レンズおよび固体撮像素子を備える。前記シールドは、上面部および複数枚の側面部によって構成されており、前記上面部が前記カメラモジュール本体の上面に接するように備えられる。前記シールドの各前記側面部には、前記上面部に対して垂直方向に延在する複数の補強部が設けられている。
【図面の簡単な説明】
【０００９】
【図１】第１の実施形態に係るカメラモジュールを模式的に示す外観図である。
【図２】図１の一点鎖線Ｘ−Ｘ´に沿って示す、カメラモジュールの模式的な断面図である。
【図３】第１の実施形態に係るカメラモジュールに使用されるシールドを示す一部展開図である。
【図４】図２の一点鎖線Ｙ−Ｙ´に沿って示す、カメラモジュールの模式的な断面図である。
【図５】第１の実施形態に係るカメラモジュールに使用されるシールドの変形例を示す、図４に対応した断面図である。
【図６】第１の実施形態に係るカメラモジュールに使用されるシールドの変形例を示す、図４に対応した断面図である。
【図７】第１の実施形態に係るカメラモジュールに使用されるシールドの変形例を示す、図４に対応した断面図である。
【図８】第１の実施形態に係るカメラモジュールに使用されるシールドの変形例を示す、図４に対応した断面図である。
【図９】第２の実施形態に係るカメラモジュールを模式的に示す外観図である。
【図１０】第２の実施形態に係るカメラモジュールを模式的に示す、図４に対応した断面図である。
【図１１】第２の実施形態に係るカメラモジュールに使用されるシールドの変形例を示す、図１０に対応した断面図である。
【図１２】第２の実施形態に係るカメラモジュールに使用されるシールドの変形例を示す、図１０に対応した断面図である。
【発明を実施するための形態】
【００１０】
以下に、実施形態に係るカメラモジュールについて、図面を参照して説明する。
【００１１】
（第１の実施形態）
図１は、第１の実施形態に係るカメラモジュールを模式的に示す外観図である。このカメラモジュール１０は、略直方体状のカメラモジュール本体１１と、このカメラモジュール本体１１の大部分を覆うように設けられたシールド１２と、を具備する。
【００１２】
シールド１２は、１枚の四角形状の上面部１２ａと、この上面部１２ａに接するとともに、互いに接する４枚の四角形状の側面部１２ｂと、を有し、これらの一枚の上面部１２ａおよび４枚の側面部１２ｂが一体化されたものである。このような形状のシールド１２は、例えばＡｌ、ＳＵＳ（Ｓｔｅｅｌ  Ｕｓａ  Ｓｔａｉｎｌｅｓｓ：ステンレス鋼）等の金属からなる。このシールド１２は、その上面部１２ａがカメラモジュール本体１１の上面を覆うとともに、４枚の側面部１２ｂがカメラモジュール本体１１の側面のうち、下方の一部を露出するように、カメラモジュール本体１１の側面を覆う。
【００１３】
このようなシールド１２は、電磁シールドとして機能する。さらに、カメラモジュール本体１１の側面には、例えばオートフォーカス機能、手ぶれ補正機能等の付加機能を実現するために、カメラモジュール本体１１に対して電気信号を付与するための端子部が露出するが、シールド１２は、このような端子部を覆い、カメラモジュール１０の外観を良好にするための機能も有する。
【００１４】
なお、シールド１２の側面部１２ｂの一部には、接地用端子部１２ｃが備えられている。この接地用端子部１２ｃを、例えば携帯電話、デジタルカメラ等の電子機器が有するプリント配線基板（図示せず）の接地用配線（図示せず）に接触するようにして、カメラモジュール１０は、プリント配線基板に実装される。これにより、シールド１２は接地され、シールド１２に接するカメラモジュール本体１１も接地される。このようにして、シールド１２は、電磁シールドとして機能する。
【００１５】
図２は、図１の一点鎖線Ｘ−Ｘ´に沿って示す、カメラモジュール１０の模式的な断面図である。図２に示すように、カメラモジュール本体１１は、センサ基板１３およびレンズホルダ１４を有する。センサ基板１３は、例えばシリコンからなる半導体基板１３ａと、この半導体基板１３ａの表面上に備えられた固体撮像素子１３ｂと、を有する。そして、レンズホルダ１４は、天板１４の一部に開口部１４ｂを有する筒状であり、内部にレンズ１５、赤外線遮断フィルタ１６等を備えたものである。
【００１６】
このようなカメラモジュール本体１１に対して、シールド１２は、その少なくとも上面部１２ａが、カメラモジュール本体１１の上面（レンズホルダ１４の天板１４ａ）に接するように備えられている。なお、シールド１２の上面部１２ａの一部には開口部１２ｄが設けられている。そして、シールド１２は、上面部１２ａの開口部１２ｄの位置と、レンズホルダ１４の開口部１４ｂの位置と、が一致するようにアライメントされて、カメラモジュール本体１１に備えられている。
【００１７】
図３は、以上に説明したカメラモジュール１０に使用されるシールド１２を示す一部展開図である。また、図４は、図２の一点鎖線Ｙ−Ｙ´に沿って示す、カメラモジュール１０の模式的な断面図である。以下、図３および図４を参照して、本実施形態に係るカメラモジュール１０に使用されるシールド１２について、より詳細に説明する。
【００１８】
図３および図４に示すように、シールド１２の各側面部１２ｂの内側面上には、複数の補強部１２ｅが、互いに離間するように設けられている。複数の補強部１２ｅのそれぞれは、シールド１２の側面部１２ｂにおいて、上面部１２ａに接する一辺（上端）から、この一辺に対向する一辺（下端）に向かって、シールド１２の上面部１２ａに対して略垂直方向に延在する柱状に設けられている。
【００１９】
なお、複数の補強部１２ｅは、互いに等しい間隔で離間するように設けられることが好ましいが、必ずしも互いに等しい間隔で設けられる必要はない。また、複数の補強部１２ｅは、側面部１２ｂの上端から下端にかけて延在することが好ましいが、必ずしも側面部１２ｂの上端から下端にかけて延在する必要はない。
【００２０】
シールド１２は、例えば、補強部１２ｅを含む側面部１２ｂの最大厚さＷｓが１ｍｍ、補強部１２ｅが設けられていない部分の厚さＷｎｓが最大厚さで０．５ｍｍとなるように設けられている（図４）。
【００２１】
このようなシールド１２は、各補強部１２ｅがカメラモジュール本体１１の側面に接する（図４）とともに、シールド１２の上面部１２ａがカメラモジュール本体１１の上面に接する（図２）ようにして、カメラモジュール本体１１に備えられる。
【００２２】
以上に、本実施形態に係るカメラモジュール１０に備えられるシールド１２を説明したが、補強部１２ｅの位置、補強部１２ｅの形状については、実施形態に限定されない。以下に、シールドの変形例について、図５〜図８を参照して説明する。図５〜図８はそれぞれ、シールドの変形例を示す、図４に相当する断面図である。
【００２３】
例えば図５に示すシールド２２のように、複数の補強部２２ｅは、側面部２２ｂの内側面上に設けられる他、さらにシールド２２の角部（側面部２２ｂが接する部分）内側に設けられてもよい。
【００２４】
また、図６に示すシールド３２のように、複数の補強部３２ｅは、各側面部３２ｂの外側面上に設けられてもよい。
【００２５】
また、図７および図８に示すように、複数の補強部１２ｅ´、２２ｅ´がシールド１２´、２２´の側面部１２ｂ´、２２ｂ´の内側面上に備えられた場合、カメラモジュール本体１１´、１１´´の外側面（レンズホルダ１４´、１４´´の外側面）に、補強部１２ｅ´、２２ｅ´の形状に対応した複数の溝１７、２７を設け、各溝１７、２７に補強部１２ｅ´、２２ｅ´が配置されるように、カメラモジュール本体１１´、１１´´に対して、シールド１２´、２２´を設けてもよい。特に図７および図８に示すようにシールド１２´、２２´を設けた場合、これによって製造されるカメラモジュールの小型化を図ることができると同時に、シールド１２´、２２´とカメラモジュール本体１１´、１１´´との接触面積が増すため、より確実にカメラモジュール本体を接地させることができる。
【００２６】
また、シールド１２、１２´、２２、２２´、３２の各補強部１２ｅ、１２ｅ´、２２ｅ、２２ｅ´、３２ｅの水平断面形状は、必ずしも半円状である必要はなく、例えば三角形以上の多角形状であってもよいし、半楕円形状であってもよい。
【００２７】
以上に説明した本実施形態に係るカメラモジュール１０によれば、シールド１２、１２´、２２、２２´、３２の側面部１２ｂ、１２ｂ´、２２ｂ、２２ｂ´、３２ｂに複数の補強部１２ｅ、１２ｅ´、２２ｅ、２２ｅ´、３２ｅが設けられているため、シールド１２、１２´、２２、２２´、３２の小型化、軽量化、低コスト化のためにシールド１２、１２´、２２、２２´、３２の厚さを薄くした場合であっても、シールド１２、１２´、２２、２２´、３２の機械的強度の低下は抑制される。従って、機械的強度の低下を抑制しつつ、小型化、軽量化、および低コスト化を図ることができるカメラモジュールが提供される。
【００２８】
（第２の実施形態）
図９は、第２の実施形態に係るカメラモジュール４０を模式的に示す外観図である。また、図１０は、第２の実施形態に係るカメラモジュール４０を模式的に示す、図４に対応した断面図である。以下に、図９および図１０を参照して、第２の実施形態に係るカメラモジュール４０について説明する。
【００２９】
図９および図１０に示すように、本実施形態に係るカメラモジュール４０は、カメラモジュール本体１１に、開口部４２ｄを有する１枚の四角形状の上面部４２ａと、この上面部４２ａに接するとともに、互いに離間する４枚の四角形状の側面部４２ｂと、を有し、これらの一枚の上面部４２ａおよび４枚の側面部４２ｂが一体化されたシールド４２が備えられたものである。すなわち、カメラモジュール４０に備えられるシールド４２は、４枚の側面部４２ｂが互いに離間している点において、第１の実施形態に係るカメラモジュール１０に備えられるシールド１２と異なっている。なお、シールド４２の各側面部４２ｂの下端に、接地用端子部４２ｃが設けられている点においては、カメラモジュール１０に備えられるシールド１２と同様である。
【００３０】
このシールド４２は、各側面部４２ｂが互いに離間した形状であるため、第１の実施形態に係るカメラモジュール１０に備えられるシールド１２と比較して、各側面部４２ｂは、外側方向に湾曲しやすい。このため、このシールド４２は、カメラモジュール本体１１に対して装着しやすい構成となっている。
【００３１】
このようなシールド４２においても、図１０に示すように、第１の実施形態に係るカメラモジュール１０に備えられるシールド１２と同様に、各側面部４２ｂの内側面上に、複数の補強部４２ｅが、互いに離間するように設けられている。
【００３２】
なお、補強部４２ｅの位置、補強部４２ｅの形状については、第１の実施形態に係るカメラモジュール１０に備えられるシールド１２と同様に、実施形態に限定されない。以下に、シールドの変形例について、図１１、図１２を参照して説明する。図１１、図１２はそれぞれ、シールドの変形例を示す、図１０に相当する断面図である。
【００３３】
例えば図１１に示すシールド５２のように、複数の補強部５２ｅは、各側面部５２ｂの外側面上に設けられてもよい。
【００３４】
また、図１２に示すように、複数の補強部４２ｅ´がシールド４２´の側面部４２ｂ´の内側面上に備えられた場合、カメラモジュール本体１１´´´の外側面（レンズホルダ１４´´´の外側面）に、補強部４２ｅ´の形状に対応した複数の溝４７を設け、各溝４７に補強部４２ｅ´が配置されるように、カメラモジュール本体１１´´´に対して、シールド４２´を設けてもよい。図１２に示すようにシールド４２´を設けた場合、これによって製造されるカメラモジュールの小型化を図ることができると同時に、シールド４２´とカメラモジュール本体１１´´´との接触面積が増すため、より確実にカメラモジュール本体を接地させることができる。
【００３５】
また、シールド４２、４２´、５２の各補強部４２ｅ、４２ｅ´、５２ｅの水平断面形状は、必ずしも半円状である必要はなく、例えば三角形以上の多角形状であってもよいし、半楕円形状であってもよい。
【００３６】
以上に説明した本実施形態に係るカメラモジュール４０においても、シールド４２、４２´、５２の側面部４２ｂ、４２ｂ´、５２ｂに複数の補強部４２ｅ、４２ｅ´、５２ｅが設けられているため、シールド４２、４２´、５２の小型化、軽量化、低コスト化のためにシールド４２、４２´、５２の厚さを薄くした場合であっても、シールド４２、４２´、５２の機械的強度の低下は抑制される。従って、機械的強度の低下を抑制しつつ、小型化、軽量化、および低コスト化を図ることができるカメラモジュールが提供される。
【００３７】
以上に、本発明の実施形態を説明したが、この実施形態は、例として提示したものであり、発明の範囲を限定することは意図していない。これらの新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００３８】
例えば、本実施形態において、カメラモジュール本体の構成は、図２に示されるカメラモジュール本体１１に限定されない。
【符号の説明】
【００３９】
１０、４０・・・カメラモジュール
１１、１１´、１１´´、１１´´´・・・カメラモジュール本体
１２、１２´、２２、２２´、３２、４２、４２´、５２・・・シールド
１２ａ、４２ａ・・・上面部
１２ｂ、１２ｂ´、２２ｂ、２２ｂ´、３２ｂ、４２ｂ、４２ｂ´、５２ｂ・・・側面部
１２ｃ、４２ｃ・・・接地用端子部
１２ｄ、４２ｄ・・・開口部
１２ｅ、１２ｅ´、２２ｅ、２２ｅ´、３２ｅ、４２ｅ、４２ｅ´、５２ｅ・・・補強部
１３・・・センサ基板
１３ａ・・・半導体基板
１３ｂ・・・固体撮像素子
１４、１４´、１４´´、１４´´´・・・レンズホルダ
１４ａ・・・天板
１４ｂ・・・開口部
１５・・・レンズ
１６・・・赤外線遮断フィルタ
１７、２７、４７・・・溝
【図１】
2015109583.tif 000003
【図２】
2015109583.tif 000004
【図３】
2015109583.tif 000005
【図４】
2015109583.tif 000006
【図５】
2015109583.tif 000007
【図６】
2015109583.tif 000008
【図７】
2015109583.tif 000009
【図８】
2015109583.tif 000010
【図９】
2015109583.tif 000011
【図１０】
2015109583.tif 000012
【図１１】
2015109583.tif 000013
【図１２】
2015109583.tif 000014